(57)【要約】      （修正有）【課題】紙束の端面に当てて紙束を揃える紙束揃え具において、持ちやすく取り扱い易い紙束揃え具を提供する。【解決手段】紙束の端面に当てて紙束を揃える紙束揃え具１において、前板２、後板３、側板４、底板により上部が開放された横断面が矩形の箱状に形成され、後板３には上下に指を入れる２個の指孔８，９が形成されるとともに、上縁に紙束揃え具１を握った状態で親指以外の指の位置に合わせた凹凸が形成され、側板４には、それぞれ指を通す指孔１２が形成されている紙束揃え具。【選択図】図１
0003178120.tif 000002
【実用新案登録請求の範囲】
【請求項１】
紙束の端面に当てて紙束を揃える紙束揃え具において、
前板、後板、側板、底板により上部が開放された横断面が矩形の箱状に形成され、
前記後板には上下に指を入れる２個の指孔が形成されるとともに、上縁に紙束揃え具を握った状態で親指以外の指の位置に合わせた凹凸が形成され、
前記側板には、それぞれ指を通す指孔が形成されていることを特徴とする紙束揃え具。
【請求項２】
前記底板の外面に裏当て板が着脱可能に設けられていることを特徴とする請求項１に記載の紙束揃え具。
【請求項３】
前記前板の前面に金属板が固定されていることを特徴とする請求項１又は２に記載の紙束揃え具。
【請求項４】
前記指孔の内周の入口側に外側に向けて拡げた傾斜面が形成されていることを特徴とする請求項１、２又は３に記載の紙束揃え具。
【請求項５】
前記後板の端部と前記側板の端部が交わって形成される稜の中央部に親指と人差し指の股のつけ根に合わせたへこみが形成されていることを特徴とする請求項１、２、３又は４に記載の紙束揃え具。
【考案の詳細な説明】
【技術分野】
【０００１】
本考案は、印刷や製本などにおいて、紙束を手作業で揃える際に使用する紙束揃え具に関する。
【背景技術】
【０００２】
用紙を重ねた紙束を剪断したり、印刷したりする場合に、精度よく剪断や印刷などができるように、紙束がテーブルに置かれて揃えられる。
【０００３】
紙束を揃える場合、紙揃え装置としては、紙束の端面に当てて移動する紙揃え板あるいは、紙束の端面に接触させて振動を与えるバイブレータを備えた紙揃え装置が提案されている（特許文献１、２参照）。
【０００４】
一方、手作業で紙束を揃える場合は、木の角材を持ってテーブルの上に置かれている紙束の端面に角材の垂直面を当て押しつけてテーブルの上を滑らせることにより行われている。
【先行技術文献】
【特許文献】
【０００５】
【特許文献１】特開平１１-０６００２５号公報
【特許文献２】特開平１０-０３５９８８号公報
【考案の概要】
【考案が解決しようとする課題】
【０００６】
角材により手作業で紙束を揃える場合、角材が持ちにくくまた、取り扱いにくいという欠点があった。
【０００７】
そこで、本考案は、手作業で紙束を揃える紙束揃え具において、持ちやすく取り扱い易い紙束揃え具を提供するものである。
【課題を解決するための手段】
【０００８】
請求項１の考案は、紙束の端面に当てて紙束を揃える紙束揃え具において、前板、後板、側板、底板により上部が開放された横断面が矩形の箱状に形成され、前記後板には上下に指を入れる２個の指孔が形成されるとともに、上縁に紙束揃え具を握った状態で親指以外の指の位置に合わせた凹凸が形成され、前記側板には、それぞれ指を通す指孔が形成されていることを特徴とする紙束揃え具である。
【０００９】
請求項２の考案は、前記底板の外面に裏当て板が着脱可能に設けられていることを特徴とする請求項１に記載の紙束揃え具である。
請求項３の考案は、前記前板の前面に金属板が固定されていることを特徴とする請求項１又は２に記載の紙束揃え具である。
【００１０】
請求項４の考案は、前記指孔の内周の入口側に外側に向けて拡げた傾斜面が形成されていることを特徴とする請求項１、２又は３に記載の紙束揃え具である。
【００１１】
請求項５の考案は、前記後板の端部と前記側板の端部が交わって形成される稜の中央部に親指と人差し指の股のつけ根に合わせたへこみが形成されていることを特徴とする請求項１、２、３又は４に記載の紙束揃え具である。
【考案の効果】
【００１２】
本考案は、指孔および指の位置に合わせた凹凸により紙束揃え具が把持しやすく、かついずれの方向にも移動させることができる。
【００１３】
本考案は、裏当て板が着脱自在であるため、摩耗すると交換することにより、紙束揃え具を精確に紙束の端面に当てることができる。
【００１４】
本考案は、紙束の端面に接触する前板の前面に金属板が固定することにより、耐磨耗性が向上して紙束揃え具の寿命が向上する。
【００１５】
本考案は、指孔の内周の入口側に外側に向けて拡げて設けた傾斜面が形成され、また後板と側板の交わる稜に親指と人差し指の股に合わせたへこみによりなだらかな面に形成されるため、紙束揃え具を違和感なく把持することができる。
【図面の簡単な説明】
【００１６】
【図１】本考案の紙束揃え具の斜視図である。
【図２】本考案の紙束揃え具の把持状態を示す図である。
【図３】本考案の紙束揃え具の別の把持状態を示す図である。
【図４】本考案の紙束揃え具の使用状態を示す斜視図である。
【考案を実施するための形態】
【００１７】
図1において、紙束揃え具１は、前板２、後板３、側板４および底板５により上部が開放された横断面が矩形の箱状に形成されている。紙束揃え具は、硬質の合成樹脂、例えば、耐摩耗性のあるＰＯＭ（ポリアセタール）で製造される。
【００１８】
前板２の前面には、耐磨耗性を有するステンレス鋼板などの金属板６を接着剤などで固定してもよい。
【００１９】
また、底板５の外面には、裏当て板７を交換可能とするため着脱可能に設ける。裏当て板７には、例えば、耐摩耗性のあるＰＯＭを使用する。
【００２０】
後板３には上下に指を通す２個の指孔８，９が形成されている。指孔８，９の内周の入口側には、外側に向けて拡がるように形成した傾斜面１０によりなだらかな面にして、紙束揃え具１を違和感なく把持することができるようにしている。
【００２１】
さらに、後板３には、その上縁に紙束揃え具１を握った状態で親指以外の指の位置に合わせた凹凸１０が形成されている。
【００２２】
両側の側板２には、それぞれ中央部に指を通す指孔１２が形成されている。この指孔１２にも入り口側に外側に向け拡げて設けた傾斜面１３によりなだらかな面に形成されている。
【００２３】
さらに、後板３の端部と側板４の端部が交わって形成される稜１４の中央部には、親指と人差し指の股に合わせたへこみ１５が形成され、このへこみ１５と側板２の指孔１２に形成されている傾斜面１３によりなだらかな面に形成される。側板２の指孔１２に通した親指と後板３の指孔８，９に通した人差し指と中指と、へこみ１５に収まった親指と人差し指の股がなだらかな面に合うので、紙束揃え具を違和感なく把持することができる。
【００２４】
上記構成の紙束揃え具の使用方法について説明する。
【００２５】
図２に示す例では、後板３の下側の指孔８に親指を通し、後板３の上縁に形成されている凹凸１０に親指以外の指を合わせて紙束揃え具１を把持する。
【００２６】
図３に示す例では、紙束揃え具１の側板４の指孔１２に親指を通し、人差し指を指孔８に通すとともに中指を指孔９に通して紙束揃え具１を把持する。このとき、後板３と側板４で形成される稜１４の中央部のへこみ１５に親指と人差し指の股のつけ根に合うので、紙束揃え具１を違和感なく把持することができる。
【００２７】
図４において、紙束揃え具１を図２（ａ）に示す状態で把持した後、前板２を紙束１６の端面に当て、紙束揃え具１をストッパ１７に向けて押して紙束１６を揃える。紙束１６の面積が大きい場合は、二つの紙束揃え具１を紙束１６の端面に当てて押して揃えてもよい。また、紙束の縦と横の端面にそれぞれ紙束揃え具１に当て、紙束揃え具１をストッパに向けて押して紙束を揃えてもよい。
【符号の説明】
【００２８】
１：紙束揃え具
２：前板
３：後板
４：側板
５：底板
６：金属板
７：裏当て板
８：指孔
９：指孔
１０：傾斜面
１１：凹凸
１２：指孔
１３：傾斜面
１４：稜
１５：へこみ
１６：紙束
１７；ストッパ
【図１】
0003178120.tif 000003
【図２】
0003178120.tif 000004
【図３】
0003178120.tif 000005
【図４】
0003178120.tif 000006